(57)【要約】【課題】一時的に風量を極力低減したい場合に、モーターの発熱や効率の低下によりモーターの回転数を大きく低減できないため、合計風量を大きく抑えることができない複数の遠心送風機を内蔵したダクトファンにおいて、一部の遠心送風機の風量を低減して合計風量を低く調整できるダクトファンを提供すること。【解決手段】機体吸込口１と機体吹出口２を対向して設けた箱状の機体３の内部に複数の遠心送風機１０−１及び１０−２を備え、複数の遠心送風機１０−１及び１０−２は点検用開口１８に向かって前後になるように配置しながら機体吸込口１に向かって前後になるように配置し、全数の遠心送風機１０−１及び１０−２を標準運転した状態の合計風量に対し、遠心送風機１０−１の風量を低減して合計風量を低く調整することにより、一時的に風量を極力低減したい場合に合計風量を大きく抑えることができるダクトファンを提供できる。【選択図】図１
2010117062.tif 000002
【特許請求の範囲】
【請求項１】
機体吸込口と機体吹出口を対向して設けた箱状の機体の内部に複数の遠心送風機を備え、前記遠心送風機は吐出口とケーシング吸込口を設けたスクロールケーシングを備え、羽根車を前記ケーシング吸込口近傍に固定したモーターの回転軸により駆動し、前記機体吸込口と前記機体吹出口を有する面以外の前記機体の一面に点検用開口を設け、前記機体内に前記機体吸込口側と前記機体吹出口側とを区画する仕切り板を設け、複数の前記遠心送風機は前記点検用開口に向かって前後になるように配置し、かつ、前記機体吸込口に向かって前後になるように配置し、前記仕切り板に開口部を設けて前記遠心送風機の吐出口を接続したダクトファンにおいて、全数の遠心送風機を標準運転した状態の合計風量に対し、一部の遠心送風機の風量を低減して合計風量を低く調整し、風量を低減する遠心送風機を機体吸込口側になるように配置した構成としたことを特徴とするダクトファン。
【請求項２】
風量を低減する遠心送風機は、モーターの運転を低回転とする構成としたことを特徴とする請求項１記載のダクトファン。
【請求項３】
風量を低減する遠心送風機は、運転を停止し、スクロールケーシング内の逆流を閉塞する逆流防止シャッターを備える構成としたことを特徴とする請求項１記載のダクトファン。
【請求項４】
前記逆流防止シャッターを遠心送風機の吐出口に配する構成としたことを特徴とする請求項３記載のダクトファン。
【請求項５】
風量を低減する遠心送風機は、運転を停止し、スクロールケーシング内の逆流を抑制するオリフィス状の逆流防止ノズルを備える構成としたことを特徴とする請求項１記載のダクトファン。
【請求項６】
前記逆流防止ノズルを遠心送風機の吐出口に配する構成としたことを特徴とする請求項５記載のダクトファン。
【発明の詳細な説明】
【技術分野】
【０００１】
本発明は、建物の天井裏等の空間に設置され、遠心送風機を複数個内蔵して配置し、ダクトを介し室内の空気を換気するダクトファンの構造に関する。
【背景技術】
【０００２】
従来、この種のダクトファンとしては、一時的に風量を極力低減したい場合に、モーターの発熱や効率の低下によりモーターの回転数を大きく低減できないため、合計風量を大きく抑えることができないことから、風量を低減するためのダンパー式風量調節部材をファン本体とは別に備え、風量を絞って低減するものが知られている（例えば、特許文献１参照）。
【０００３】
以下、そのダクトファンについて、図７を参照しながら説明する。
【０００４】
図７に示すように、機体吸込口１０１と機体吹出口１０２を箱状の機体１０３の対向する側面に設け、機体１０３には、機体吸込口１０１に吸込側ダクト１０４を接続する吸込アダプター１０５、および機体吹出口１０２には、吹出側ダクト１０６を接続する吹出アダプター１０７を配している。機体吹出口１０２と吹出アダプター１０７の間には、ダンパー式風量調節部材１０８を配し、ダンパー式風量調節部材１０８は、スライド板１０９とガイド部１１０から構成されている。
【０００５】
モーター１１１を運転するとプーリーベルト１１２を介し片吸込型遠心送風機１１３が駆動し、機体１０３内部の吸込気流１１４は、スクロールケーシング１１５を通り、吐出口１１６から吐出気流１１７として流出し、吐出気流１１７はスライド板１０９に衝突することで風量を減少している。
【特許文献１】特開平１１−２７０８８５号公報
【発明の開示】
【発明が解決しようとする課題】
【０００６】
このような従来のダクトファンでは、風量を調整する際は、スライド板１０９を直接操作する必要があり、風量低減に作業工数および手間がかかるという課題がある。
【０００７】
また、スライド板１０９への吐出気流１１７の衝突による送風ロスにより、風量低減量に対し、騒音や消費電力の低下量が比例しないという課題がある。
【０００８】
また、風量を低減するためのダンパー式風量調節部材１０８をファン本体とは別に機体１０３に備える必要があることから、構造が複雑になるという課題がある。
【０００９】
本発明は、このような従来の課題を解決するものであり、機体内の全数の遠心送風機を標準運転した状態の合計風量に対し、一部の遠心送風機の風量を低減することで、一時的に風量を極力低減したい場合に合計風量を大きく抑えることができるダクトファンを提供することを目的とする。
【課題を解決するための手段】
【００１０】
本発明のダクトファンは、上記目的を達成するために、機体吸込口と機体吹出口を対向して設けた箱状の機体の内部に複数の遠心送風機を備え、前記遠心送風機は吐出口とケーシング吸込口を設けたスクロールケーシングを備え、羽根車を前記ケーシング吸込口近傍に固定したモーターの回転軸により駆動し、前記機体吸込口と前記機体吹出口を有する面以外の前記機体の一面に点検用開口を設け、前記機体内に前記機体吸込口側と前記機体吹出口側とを区画する仕切り板を設け、複数の前記遠心送風機は前記点検用開口に向かって前後になるように配置し、かつ、前記機体吸込口に向かって前後になるように配置し、前記仕切り板に開口部を設けて前記遠心送風機の吐出口を接続したダクトファンにおいて、全数の遠心送風機を標準運転した状態の合計風量に対し、一部の遠心送風機の風量を低減して合計風量を低く調整し、風量を低減する遠心送風機を機体吸込口側になるように配置した構成としたものである。
【００１１】
また、他の手段は、風量を低減する遠心送風機は、モーターの運転を低回転とする構成としたものである。
【００１２】
また、他の手段は、風量を低減する遠心送風機は、運転を停止し、スクロールケーシング内の逆流を閉塞する逆流防止シャッターを備える構成としたものである。
【００１３】
また、他の手段は、逆流防止シャッターを遠心送風機の吐出口に配する構成としたものである。
【００１４】
また、他の手段は、風量を低減する遠心送風機は、運転を停止し、スクロールケーシング内の逆流を抑制するオリフィス状の逆流防止ノズルを備える構成としたものである。
【００１５】
また、他の手段は、逆流防止ノズルを遠心送風機の吐出口に配する構成としたものである。
【発明の効果】
【００１６】
本発明によれば、機体吸込口と機体吹出口を対向して設けた箱状の機体の内部に複数の遠心送風機を備え、前記遠心送風機は吐出口とケーシング吸込口を設けたスクロールケーシングを備え、羽根車を前記ケーシング吸込口近傍に固定したモーターの回転軸により駆動し、前記機体吸込口と前記機体吹出口を有する面以外の前記機体の一面に点検用開口を設け、前記機体内に前記機体吸込口側と前記機体吹出口側とを区画する仕切り板を設け、複数の前記遠心送風機は前記点検用開口に向かって前後になるように配置しながら前記機体吸込口に向かって前後になるように配置すると共に、前記仕切り板に開口部を設けて前記遠心送風機の吐出口を接続したダクトファンにおいて、全数の遠心送風機を標準運転した状態の合計風量に対し、一部の遠心送風機の風量を低減して合計風量を低く調整し、風量を低減する遠心送風機を機体吸込口側になるように配置した構成としたことにより、風量を低減でき、騒音、消費電力を抑制でき、さらに前記機体吸込口からの吸込気流が低回転のモーターに当たり冷却でき、さらに前記機体吸込口からの吸込気流が風量を低減する遠心送風機のスクロールケーシングの逆流を抑制できるという効果のあるダクトファンを提供することができる。
【００１７】
また、風量を低減する遠心送風機において、モーターの運転を低回転とする構成としたことにより、風量を低減でき、騒音、消費電力を抑制できるという効果のあるダクトファンを提供することができる。
【００１８】
また、風量を低減する遠心送風機において、運転を停止し、スクロールケーシング内の逆流を閉塞する逆流防止シャッターを備える構成としたことにより、風量を低減でき、騒音、消費電力を抑制できるという効果のあるダクトファンを提供することができる。
【００１９】
また、逆流防止シャッターを遠心送風機の吐出口に配する構成としたことにより、逆流防止シャッターを簡易な構造にできるという効果のあるダクトファンを提供することができる。
【００２０】
また、風量を低減する遠心送風機において、運転を停止し、スクロールケーシング内の逆流を抑制するオリフィス状の逆流防止ノズルを備える構成としたことにより、風量を低減でき、騒音、消費電力を抑制できるという効果のあるダクトファンを提供することができる。
【００２１】
また、逆流防止ノズルを遠心送風機の吐出口に配する構成としたことにより、逆流防止ノズルを簡易な構造にできるという効果のあるダクトファンを提供することができる。
【発明を実施するための最良の形態】
【００２２】
本発明の請求項１記載のダクトファンは、機体吸込口と機体吹出口を対向して設けた箱状の機体の内部に複数の遠心送風機を備え、前記遠心送風機は吐出口とケーシング吸込口を設けたスクロールケーシングを備え、羽根車を前記ケーシング吸込口近傍に固定したモーターの回転軸により駆動し、前記機体吸込口と前記機体吹出口を有する面以外の前記機体の一面に点検用開口を設け、前記機体内に前記機体吸込口側と前記機体吹出口側とを区画する仕切り板を設け、複数の前記遠心送風機は前記点検用開口に向かって前後になるように配置し、かつ、前記機体吸込口に向かって前後になるように配置し、前記仕切り板に開口部を設けて前記遠心送風機の吐出口を接続したダクトファンにおいて、全数の遠心送風機を標準運転した状態の合計風量に対し、一部の遠心送風機の風量を低減して合計風量を低く調整し、風量を低減する遠心送風機を機体吸込口側になるように配置した構成としたものであり、複数の遠心送風機を前後にずらして配置し、機体の点検用開口側から反点検用開口側までの機体幅寸法を小さくすることで、一部の遠心送風機の風量を低減した際の機体吸込口からの吸込気流の分布の偏りを少なくし乱流を抑えることができ、全数の遠心送風機を標準運転した状態の合計風量に対し、一部の遠心送風機の風量を低減することで、一時的に風量を極力低減したい場合に合計風量を大きく抑えることができるという作用を有する。さらに、前記機体吸込口からの吸込気流が低回転のモーターに当たり冷却でき、モーターが低回転のためモーター近傍のケーシング吸込口の気流低下により冷却が少なく発熱するモーターを、機体吸込口からの吸込気流が低回転のモーターに当たることでモーターを冷却できるという作用を有する。さらに、前記機体吸込口からの吸込気流が風量を低減する遠心送風機のスクロールケーシングの逆流を抑制でき、標準運転する遠心送風機の吐出逆流気流が停止した遠心送風機のスクロールケーシング内を流れることにより発生する機体内の逆流に対し、機体吸込口からの吸込気流が衝突して逆流を抑制し一部の遠心送風機の運転を停止して風量を低減できるという作用を有する。
【００２３】
また、風量を低減する遠心送風機は、モーターの運転を低回転とする構成としたものであり、一部のモーターの運転を低回転とすることで、風量を低減できるという作用を有する。
【００２４】
また、風量を低減する遠心送風機は、運転を停止し、スクロールケーシング内の逆流を閉塞する逆流防止シャッターを備える構成としたものであり、標準運転する遠心送風機の吐出逆流気流が停止した遠心送風機のスクロールケーシング内を流れることにより発生する機体内の逆流を、逆流防止シャッターにより逆流を閉塞することで、一部の遠心送風機の運転を停止して風量を低減できるという作用を有する。
【００２５】
また、逆流防止シャッターを遠心送風機の吐出口に配する構成としたものであり、逆流防止シャッターを遠心送風機の吐出口に配置することで、逆流防止シャッターの寸法を吐出口の寸法に合わせて小さくでき、遠心送風機運転時には吐出逆流気流の風圧により逆流防止シャッターが開放する簡易な逆流防止シャッター構造にできるという作用を有する。
【００２６】
また、風量を低減する遠心送風機は、運転を停止し、スクロールケーシング内の逆流を抑制するオリフィス状の逆流防止ノズルを備える構成としたものであり、標準運転する遠心送風機の吐出逆流気流が停止した遠心送風機のスクロールケーシング内を流れることにより発生する機体内の逆流を、逆流防止ノズルにより逆流を抑制することで、一部の遠心送風機の運転を停止して風量を低減できるという作用を有する。
【００２７】
また、逆流防止ノズルを遠心送風機の吐出口に配する構成としたものであり、逆流防止ノズルを遠心送風機の吐出口に配置することで、逆流防止ノズルの寸法を吐出口の寸法に合わせて小さくでき、簡易な逆流防止ノズル構造にできるという作用を有する。
【００２８】
以下、本発明の実施の形態について、図面を参照しながら説明する。
【００２９】
（実施の形態１）
図１に示すように、機体吸込口１と機体吹出口２を箱状の機体３の対向する側面に設け、機体３には、機体吸込口１に吸込側ダクト４を接続する吸込アダプター５、および機体吹出口２には、吹出側ダクト６を接続する吹出アダプター７を配している。機体３の内部には、機体吸込口１から機体吹出口２に至る吸込気流８が流れる風路９を有し、風路９に遠心送風機１０−１、１０−２の２個を配している。遠心送風機１０−１、１０−２には、モーター１１−１、１１−２に回転軸１２を介して固定した羽根車１３と、機体吹出口２に対向する吐出口１４と、スクロールケーシング１５とを有している。スクロールケーシング１５の側面には、モーター側にケーシング吸込口１６を開口したモーター側オリフィス１７を配している。
【００３０】
機体吸込口１と機体吹出口２を有する面以外の機体３の一面には、点検用開口１８を設け、機体３内には、機体吸込口１側と機体吹出口２側とを区画する仕切り板１９を設ける。複数の遠心送風機１０−１、１０−２は点検用開口１８に向かって前後になるように配置すると共に、仕切り板１９に開口部２０を設けて遠心送風機１０−１、１０−２の各々の吐出口１４を接続する。この複数の遠心送風機１０−１、１０−２の各々の回転軸１２は、点検用開口１８に向かうよう配置する。点検用開口１８には着脱自在の点検パネル２１を固定する。機体３の点検用開口１８側の面から対面までの距離を機体幅寸法２２とする。
【００３１】
遠心送風機１０−１、１０−２は、全数（遠心送風機１０−１、１０−２）を標準運転した状態の合計風量に対し、機体吸込口１側となる遠心送風機１０−１の風量を低減して合計風量を低く調整し、全体として風量を低減する。風量を低減する遠心送風機１０−１は、モーター１１−１の回転数を低くすることによって風量を低減するものとする。なお、モーター１１−１の運転を低回転とする方法としては、モーター１１−１自体に複数の速度調整機能を持たせたり、インバーターにより電源周波数を変更する等の方法が一般的である。
【００３２】
図２に示すように、実使用状態では、天井裏２４において機体吸込口１に吸込側ダクト４、機体吹出口２に吹出側ダクト６を接続して機体３は施工される。遠心送風機１０−１、１０−２を運転すると、室内２５の空気が吸込側ダクト４、遠心送風機１０−１、１０−２を介して吹出側ダクト６を通過し、室外２６に排気して使用する。天井裏２４と室内２５は天井材２７で仕切られ、天井材２７の機体３の下部に天井点検口２８を備えている。
【００３３】
また、図３に示すように、風量を低減する遠心送風機１０−１を機体吸込口１側になるように配置し、機体吸込口１からの吸込気流８が風量を低減する遠心送風機１０−１のスクロールケーシング１５の逆流２９−１を抑制している。
【００３４】
上記構成により、機体吸込口１側の遠心送風機１０−１の風量を低減し、機体吹出口２側の遠心送風機１０−２を標準運転とすると、遠心送風機１０−１は機体吸込口１側にあるので、空気を吸い込みやすく、低回転で運転しても風量を確保することができる。逆に、機体吹出口２側の遠心送風機１０−２を低回転で運転することにすると、機体吸込口１側の遠心送風機１０−１の吸い込む力が強く、機体吸込口１から遠い遠心送風機１０−２の風量が確保できず、全体として所望の風量が得られなくなってしまうことになる。また、複数の遠心送風機１０−１、１０−２を機体吸込口１（機体吹出口２）に対して前後にずらして配置するので、機体３の点検用開口１８側の面から対面までの機体幅寸法２２を小さくすることになる。機体幅寸法２２を小さくすることによっても、遠心送風機１０−１の風量を低減した際、機体吸込口１からの吸込気流８の分布の偏りを少なくし乱流を抑えることができる。逆に、機体幅寸法２２が大きい場合、吸込気流８は風量が多い側の遠心送風機１０−２に偏って流れるため、機体３内部の気流分布が不均一となり乱流が発生しやすくなってしまう。
【００３５】
また、モーター１１−１の冷却は、ケーシング吸込口気流２３がモーター１１−１に当たり冷却される以外に、機体吸込口１からの吸込気流８が低回転のモーター１１−１に当たり冷却できる。その際、モーター１１−１が低回転のためモーター１１−１近傍のケーシング吸込口気流２３の気流低下により冷却が少なく発熱するモーター１１−１を、機体吸込口１からの吸込気流８が低回転のモーター１１−１に当たることでモーター１１−１を冷却できる。これは、一般的にモーターの回転数を大きく低減した場合に発生する、モーターの効率の低下による発熱にも効果的である。
【００３６】
また、標準運転する遠心送風機１０−２の吐出逆流気流２９−２が停止した遠心送風機１０−１のスクロールケーシング１５内を流れることにより発生する機体３内の逆流２９−１を、機体吸込口１からの吸込気流８が逆流２９−１に衝突することで、逆流２９−１を抑制し遠心送風機１０−１の運転を停止して風量を低減できる。この際、逆流２９−１が抑制されることで、乱流による騒音の発生や、消費電力の増大も抑制される。
【００３７】
このように本発明の実施の形態１のダクトファンによれば、風量を低減でき、騒音、消費電力を抑制でき、モーターを冷却できることとなる。
【００３８】
（実施の形態２）
第２の実施の形態のダクトファンは、図４に示すように、風量を低減する遠心送風機１０−１には、モーター１１−１の運転を停止したときに、スクロールケーシング１５内の逆流２９−１を、吐出口１４を閉塞して防止する逆流防止シャッター３０を備えたものである。逆流防止シャッター３０はシャッター回転軸３１を中心に自在に回動する構成とする。この逆流防止シャッター３０は、遠心送風機１０−１の吐出口１４に設ける。
【００３９】
上記構成により、標準運転する遠心送風機１０−２による吐出逆流気流２９−２が、停止した遠心送風機１０−１のスクロールケーシング１５内を流れることにより、機体３内に逆流２９−１が発生する。この逆流２９−１を逆流防止シャッター３０により閉塞することで、遠心送風機１０−１の運転を停止して風量を低減する。この際、逆流２９−１が閉塞されることで、乱流による騒音の発生や、消費電力の増大が抑制されることになる。
【００４０】
また、逆流防止シャッター３０を遠心送風機１０−１の吐出口１４に配置することで、逆流防止シャッター３０の寸法を吐出口１４の寸法に合わせて小さくできる。また、遠心送風機１０−１運転時には吐出逆流気流２９−２の風圧により逆流防止シャッター３０が開放する簡易な構造にできる。
【００４１】
このように本発明の実施の形態２のダクトファンによれば、風量を低減でき、騒音、消費電力を抑制でき、逆流防止シャッターを簡易な構造にできることとなる。
【００４２】
（実施の形態３）
第３の実施の形態のダクトファンは、図５に示すように、風量を低減する遠心送風機１０−１には、モーター１１−１の運転を停止したときに、スクロールケーシング１５内の逆流２９−１を抑制するオリフィス状の逆流防止ノズル３２を備える構成とする。この逆流防止ノズル３２は、遠心送風機１０−１の吐出口１４に設ける。
【００４３】
上記構成により、標準運転する遠心送風機１０−２による吐出逆流気流２９−２が、停止した遠心送風機１０−１のスクロールケーシング１５内を流れることにより、機体３内に逆流２９−１が発生する。この逆流２９−１を、逆流防止ノズル３２により抑制することで、遠心送風機１０−１の運転を停止して風量を低減する。この際、逆流２９−１が抑制されることで、乱流による騒音の発生や、消費電力の増大が抑制されることになる。
【００４４】
また、逆流防止ノズル３２を遠心送風機１０−１の吐出口１４に配置することで、逆流防止ノズル３２の寸法を吐出口１４の寸法に合わせて小さくでき、簡易な逆流防止ノズル構造にできる。
【００４５】
このように本発明の実施の形態３のダクトファンによれば、風量を低減でき、騒音、消費電力を抑制でき、逆流防止ノズルを簡易な構造にできることとなる。
【００４６】
（実施の形態４）
第４の実施の形態のダクトファンは、図６に示すように、機体吸込口１と機体吹出口２を箱状の機体３の対向する側面に設け、機体３には、機体吸込口１に吸込側ダクト４を接続する吸込アダプター５、および機体吹出口２には、吹出側ダクト６を接続する吹出アダプター７を配している。機体３の内部には、機体吸込口１から機体吹出口２に至る吸込気流８が流れる風路９を有し、風路９に遠心送風機１０−１、１０−２及び１０−３の３個を配している。遠心送風機１０−１、１０−２及び１０−３には、モーター１１−１、１１−２及び１１−３に回転軸１２を介して固定した羽根車１３と、機体吹出口２に対向する吐出口１４と、スクロールケーシング１５とを有している。スクロールケーシング１５の側面には、モーター側ケーシング吸込口１６を開口したモーター側オリフィス１７を配している。
【００４７】
機体吸込口１と機体吹出口２を有する面以外の機体３の一面には、点検用開口１８を設け、機体３内には、機体吸込口１側と機体吹出口２側とを区画する仕切り板１９を設ける。３個の遠心送風機１０−１、１０−２及び１０−３は点検用開口１８に向かって前後になるように配置すると共に、仕切り板１９に開口部２０を設けて遠心送風機１０−１、１０−２及び１０−３の各々の吐出口１４を接続する。この３個の遠心送風機１０−１、１０−２及び１０−３の各々の回転軸１２は、点検用開口１８に向かうよう配置し、点検用開口１８には着脱自在の点検パネル２１を固定する。機体３の点検用開口１８側の面から対面までの距離を機体幅寸法２２とする。
【００４８】
全数の遠心送風機１０−１、１０−２及び１０−３を標準運転した状態の合計風量に対し、２個の遠心送風機１０−１、１０−２の風量を低減して合計風量を低く調整する構成とする。
【００４９】
上記構成により、複数の遠心送風機１０−１、１０−２及び１０−３を機体吸込口１（機体吹出口２）に対して前後にずらして配置し、機体３の点検用開口１８側から反点検用開口側までの機体幅寸法２２を小さくすることで、遠心送風機１０−１、１０−２の風量を低減した際の機体吸込口１からの吸込気流８の分布の偏りを少なくし乱流を抑えることができ、全数の遠心送風機１０−１、１０−２及び１０−３を標準運転した状態の合計風量に対し、遠心送風機１０−１、１０−２の風量を低減することで、一時的に風量を極力低減したい場合に合計風量を大きく抑えることができる。なお、機体幅寸法２２が大きい場合、吸込気流８は風量が多い側の遠心送風機１０−３に偏って流れるため、機体３内部の気流分布が不均一となり乱流が発生しやすくなる。
【００５０】
このように本発明の実施の形態４のダクトファンによれば、風量を低減でき、騒音、消費電力を抑制できることとなる。
【産業上の利用可能性】
【００５１】
換気送風機器、空気調和機、除湿機、加湿器、空気清浄機などの空気搬送目的以外に、機体吹出口からの送風を用いて設備機器の冷却ができ、風量を必要に応じ低減することができる設備機器の送風の用途にも適用できる。
【図面の簡単な説明】
【００５２】
【図１】本発明の実施の形態１のダクトファンの平面構成図
【図２】同ダクトファンの設置状態を示す側面構成図
【図３】同ダクトファンの逆流を示す平面構成図
【図４】本発明の実施の形態２のダクトファンの平面構成図
【図５】本発明の実施の形態３のダクトファンの平面構成図
【図６】本発明の実施の形態４のダクトファンの平面構成図
【図７】従来のダクトファンの平面構成図
【符号の説明】
【００５３】
１    機体吸込口
２    機体吹出口
３    機体
８    吸込気流
１０−１  遠心送風機
１０−２  遠心送風機
１０−３  遠心送風機
１１−１  モーター
１１−２  モーター
１１−３  モーター
１２    回転軸
１３    羽根車
１４    吐出口
１５    スクロールケーシング
１６    ケーシング吸込口
１８    点検用開口
１９    仕切り板
２０    開口部
３０    逆流防止シャッター
３２    逆流防止ノズル
【図１】
2010117062.tif 000003
【図２】
2010117062.tif 000004
【図３】
2010117062.tif 000005
【図４】
2010117062.tif 000006
【図５】
2010117062.tif 000007
【図６】
2010117062.tif 000008
【図７】
2010117062.tif 000009